(57)【要約】【課題】浴室テレビなどの電子機器を壁面に取り付ける際に、板金製のブラケットを壁面に固定し、そのブラケットに電子機器を取り付けることによって電子機器を壁面に取り付けている。この構造では、ブラケットに形成した上向きのフック部に電子機器の背面に設けた係合部を引っ掛け、さらに電子機器の筐体の下端をブラケットにネジ止めすることによって固定する。そのネジ止めの際に、筐体が下方に引っ張られ、フック部と係合部との係合部分に新たな応力が作用し、各所に歪が生じる。【解決手段】上下方向にスライドする補助部材を電子機器の筐体に設け、この補助部材のスライド方向の端部のうち外側に位置する端部を上記ブラケットに固定することによって筐体をブラケットに固定する。【選択図】  図２
2020017593.tif 000002
【特許請求の範囲】
【請求項１】
筐体に覆われた電子機器を壁面に取り付ける取付構造であって、壁面に固定される板金製のブラケットに上向きのフック部を形成し、上記筐体の裏面に形成した係合部をこのフック部に係合させた状態で、筐体が壁面から離れる方向への揺動を防止するためブラケットに固定される固定部を上記筐体側に設けたものにおいて、上記筐体をブラケットに取り付けた状態で上下方向にスライドする補助部材を上記固定部に設け、この補助部材のスライド方向の端部のうち外側に位置する端部を上記ブラケットに固定することによって筐体をブラケットに固定することを特徴とする電子機器の取付構造。
【請求項２】
上記筐体をブラケットに取り付けた状態で、上記固定部を上記係合部より上側に位置するように形成したことを特徴とする請求項１に記載の電子機器の取付構造。
【請求項３】
上記補助部材のスライド量を所定の距離に制限するストッパ部材を設け、この補助部材がブラケットに固定されている状態で筐体が上方に押し上げられた場合に、その押し上げ量を、上記係合部が上記フック部から外れない距離に上記ストッパ部材で規制することを特徴とする請求項１または請求項２に記載の電子機器の取付構造。
【発明の詳細な説明】
【技術分野】
【０００１】
本発明は、例えば浴室の壁面に浴室テレビを取り付ける際に用いられる電子機器の取付構造に関する。
【背景技術】
【０００２】
薄型の浴室テレビなどの電子機器は、浴室テレビの筐体にスタンドを取り付け、自立させるほかに、スタンドを用いずに壁面に取り付ける場合がある。この壁面に電子機器を取り付ける際には、壁面に板金製のブラケットを固定し、そのブラケットに電子機器の筐体を取り付ける構造が採用される場合がある（例えば、特許文献１参照）。
【先行技術文献】
【特許文献】
【０００３】
【特許文献１】特開２０１０−４１０８６号公報（図３〜図５）
【発明の概要】
【発明が解決しようとする課題】
【０００４】
上記従来の取付構造では、板金製のブラケットの上部に上向きのフック部を形成し、筐体の裏面上部に設けた係合部をこのフック部に係合させる。この状態で、筐体はフック部によって保持され、電子機器の重量はフック部で支えられる。ただし、この状態では、筐体の下部がブラケットに対して固定されていないので、筐体の下部を手前に引けば、フック部と係合部との係合部分を中心として筐体は手前に揺動する。
【０００５】
この揺動を防止するため、ブラケットの下端部分を手前に折り曲げ、その折り曲げた部分と筐体の下端部分とをネジ止めすることによって筐体を下方に引いてその折り曲げた部分に密着させ、筐体の手前方向への揺動を防止している。
【０００６】
このように従来の取付構造では、筐体の下端部分をネジ止めする際に筐体を下方に引き下げる方向に力が作用させるため、その下方向への力がフック部と係合部との係合部分に作用し、筐体やブラケットに歪を生じさせるという不具合が発生する。
【０００７】
そこで本発明は、上記の問題点に鑑み、ブラケットに電子機器の筐体を取り付ける際に、ひずみが生じない電子機器の取付構造を提供することを課題とする。
【課題を解決するための手段】
【０００８】
上記課題を解決するために本発明による電子機器の取付構造は、筐体に覆われた電子機器を壁面に取り付ける取付構造であって、壁面に固定される板金製のブラケットに上向きのフック部を形成し、上記筐体の裏面に形成した係合部をこのフック部に係合させた状態で、筐体が壁面から離れる方向への揺動を防止するためブラケットに固定される固定部を上記筐体側に設けたものにおいて、上記筐体をブラケットに取り付けた状態で上下方向にスライドする補助部材を上記固定部に設け、この補助部材のスライド方向の端部のうち外側に位置する端部を上記ブラケットに固定することによって筐体をブラケットに固定することを特徴とする。
【０００９】
上記構成によれば、補助部材をブラケットに固定することによって、筐体が前方に揺動することを防止することができる。さらに、補助部材をブラケットに固定する際に補助部材をスライド方向に移動させてブラケットに固定するので、フック部と係合部との係合部分に更なる応力が作用することがない。
【００１０】
上記従来のものでは、固定部が係合部より下側に位置しているが、このような配置に限定されるものではなく、例えば、上記筐体をブラケットに取り付けた状態で、上記固定部を上記係合部より上側に位置するように形成してもよい。
【００１１】
なお、補助部材のスライド量を規制しないと、ブラケットに取り付けられた状態の筐体を上方に向かって持ち上げると、係合部がフック部から外れてしまうおそれが生じる。そこで、上記補助部材のスライド量を所定の距離に制限するストッパ部材を設け、この補助部材がブラケットに固定されている状態で筐体が上方に押し上げられた場合に、その押し上げ量を、上記係合部が上記フック部から外れない距離に上記ストッパ部材で規制することが望ましい。
【発明の効果】
【００１２】
以上の説明から明らかなように、本発明は、電子機器を壁面に取り付ける際に、壁面に固定されたブラケットのフック部に電子機器の筐体の係合部を係合させ、さらに、その状態で筐体が前方に揺動することを、補助部材をスライド方向に移動させてブラケットに固定して防止するので、補助部材をブラケットに固定する際に更なる応力がフック部と係合部との係合部分に発生しない。そのため、補助部材をブラケットに固定することによる歪みが生じない。
【図面の簡単な説明】
【００１３】
【図１】本発明の一実施の形態の構成を示す図
【図２】ブラケットに取り付けられた状態の浴室テレビの断面図
【図３】浴室テレビの背面を示す斜視図
【図４】補助部材の形状を示す斜視図
【図５】第２の実施形態を示す断面図
【発明を実施するための形態】
【００１４】
図１を参照して、Ｗは浴室の壁面である。本実施の形態では、この壁面Ｗに浴室テレビ１を取り付ける場合について説明する。２は浴室テレビ１を壁面Ｗに取り付ける際に用いる板金製のブラケットである。
【００１５】
ブラケット２を予め壁面Ｗに固定しておく。このブラケット２には上部に上向きのフック部２１が設けられ、下部には前方に折り曲げられた振れ止め部２２が設けられている。そして、浴室テレビ１をフック部２１に係合させ、さらに２本のネジ３によって浴室テレビ１の下端の前方への振れ止めを行い浴室テレビ１をブラケット２に取り付ける。
【００１６】
図２および図３を参照して、浴室テレビ１の背面には上記フック部２１に係合する係合部１１が設けられている。この係合部１１をフック部２１に引っ掛けるように係合させると、浴室テレビ１の重量はフック部２１によって支えられ、浴室テレビ１はブラケット２に取り付けられることになる。ただし、そのままの状態では、フック部２１と係合部１１との係合部分を中心として、浴室テレビ１の下端部分は前方に揺動できる状態になっている。
【００１７】
そこで、上記振れ止め部２２に対して浴室テレビ１をねじ３によって固定することによって浴室テレビ１の下端部分が前方に揺動をしないようにした。具体的には、浴室テレビ１側に上下方向にスライド自在の補助部材４を設け、この補助部材４を上記振れ止め部２２に固定することによって浴室テレビ１の下端部分が前方に揺動しないようにした。
【００１８】
図４を合わせて参照して、この補助部材４には上下方向に長手の長穴４１が設けられており、その長穴４１に、図２に示すように、浴室テレビ１に固定されるストッパネジ１２が挿入される。この構成により、補助部材４は浴室テレビ１に対して上下方向にスライドできるが、そのスライド量は長穴４１の上下端部がストッパネジ１２に当接するまでの範囲に限定される。このように、補助部材４のスライド量が規制されるため、図２に示した状態で浴室テレビ１を上方に持ち上げると、若干量は持ち上げることができるが、長穴４１の上端部がストッパネジ１２に当接して、それ以上の上方への移動が規制され、これにより、係合部１１がフック部２１から外れることが防止される。
【００１９】
ところで、図４に示すように、補助部材４には背面部４３とその背面部４３の左右両側から前方に伸びるガイド部４２とが設けられている。浴室テレビ１の下端部分が前方に揺動しようとしても、浴室テレビ１の筐体がこの背面部４３に当接しているので、浴室テレビ１の下端部分は前方に揺動しない。また、補助部材４の上下方向のスライドは、上記ガイド部４２によってガイドされる。
【００２０】
上記の実施の形態では、図２に示すように、ブラケット２の上部にフック部２１を設け、補助部材４をそのフック部２１よりも下方に位置するように構成したが、図５に示すように、ブラケット２の下部にフック部２１を設け、振れ止め部２２をブラケット２の上部に設けるように構成してもよい。このように構成すると、上記壁面Ｗに固定されたブラケット２のフック部２１に浴室テレビ１の係合部１１を係合させ、そのまま浴室テレビ１の上部を壁面Ｗ側に押し付け、その状態でネジ３を用いて補助部材４を振れ止め部２２に固定する。
【００２１】
図５に示した他の実施の形態のほかに、例えば、フック部２１をブラケット２の左右方向全幅にわたって設けるのではなく、１ヶ所またはそれ以上の箇所に分割して設けてもよい。また、補助部材４を左右２ヶ所に設けたが、中央に１ヶ所設けるようにしてもよい。
【００２２】
なお、本発明は上記した形態に限定されるものではなく、本発明の要旨を逸脱しない範囲内において種々の変更を加えてもかまわない。
【符号の説明】
【００２３】
１ 浴室テレビ
２ ブラケット
３ ネジ
４ 補助部材
１１ 係合部
１２ ストッパネジ
２１ フック部
４１ 長穴
【図１】
2020017593.tif 000003
【図２】
2020017593.tif 000004
【図３】
2020017593.tif 000005
【図４】
2020017593.tif 000006
【図５】
2020017593.tif 000007